(57)【特許請求の範囲】
【請求項１】
階段造成用のプレキャスト・コンクリート・ブロックであって、水平な踏み代面、踏み代面に直交する蹴上げ面、及びこれら両面を対角的に結ぶ裏面からなる略直角三角柱体をなし、裏面に軽量化のための窪みを設け、該裏面の窪み内隅部に所定半径のアール（部分円筒凹面）を設け、さらに、前記ブロックの側面にズレ止め用溝を形成したことを特徴とする階段ブロック。
【請求項２】
さらに、前記蹴上げ面に軽量化のための窪みを設けたことを特徴とする請求項１に記載の階段ブロック。
【請求項３】
施工対象斜面を平坦に衝き固め、段数、蹴上げ高を確定すると共に仕上がりスミを打つ準備工程、
衝き固めを行った前記斜面に敷きモルタルを敷き、その上に階段ブロックを仮置きする第１工程、
仮置きした階段ブロックの最小角度側下面にキャンバを差し込んで３〜４ｃｍの隙間を形成する第２工程、
仮置きした階段ブロックの踏み代面前縁部に沿って水準器を置き、横方向の水平を確認しつつサンドハンマーで叩き締めして蹴上げ面角部を所定高さに合わせる第３工程、
スラント（勾配測定器具）を用いて、踏み代面が一定勾配になるようにキャンバを抜き差しして調節する第４工程、
前記第２工程で形成した隙間にモルタルを突き込んで当該隙間を満遍なく満たす第５工程、
キャンバを取り外し、その部分にモルタルを突き込む第６工程、
隣り合うの階段ブロック間のメジをベニヤ板等を用いてしっかりと突き込んで布設を完了する第７工程、及び
砂、ゴミ等を清掃してからメジ仕上げをする工事完了工程を含む、請求項１又は２のいずれかに記載の階段ブロックを用いる階段施工法。
【発明の詳細な説明】
【技術分野】
【０００１】  この発明は、階段の現場打ちに用いるプレキャストコンクリート階段ブロック及びこれを用いる階段施工方法に関する。
【背景技術】
【０００２】  住宅地等に階段を造成する際は、対象傾斜面を平坦に衝き固め、当該斜面に沿って鉄筋入りの基礎コンクリートを打ち、基礎コンクリート上に下地コンクリートで階段の各段を形成し、さらにその表面をモルタルで仕上げるのが従来からの工法である（図４参照）。【０００３】  この在来工法では、仕上げ材のモルタルと下地コンクリートの温度、湿度等の変化に対する膨張・収縮度の違いから歪みが生じ、そのため仕上がり表面にクラックを生じ、そこから水分が侵入する原因となっていた。さらに、仕上げ材のモルタルと下地コンクリートの間にはわずかながら空気の残存があり、その空気と上記の水分が温度上昇・下降の繰り返しにより膨張し（空気膨張と結氷による膨張）、仕上げ面の剥離に進む例が多く見られる。【０００４】  以上の理由により、上記の在来工法は、寒暖の差が極端に大きい時期や、特に凍結が起きる地域における施工には適していない。【０００５】  上記の在来工法よりは改良された工法に、Ｌ型階段ブロックを用いる工法がある（Ｌ型式階段工法、図５参照）。これは、右上がりの階段の場合、Ｌ字を反時計方向に９０°（逆Ｌ型の場合は時計方向に９０°）回転させた断面形状を有するプレキャスト・コンクリート板ブロックである。【０００６】  この工法は上記在来工法における仕上げ材のモルタルをこのブロック材で置き換えるので、仕上げ面のクラックの問題は解消されるものの、ブロックの内角部や、ブロック間の接合部に生じる角部への接着用モルタルの充填不足に起因する空洞の発生、空洞中の残存空気や水分の膨張によるブロックの浮き上がりや剥離の問題が生じ易い。【０００７】  一般に階段は傾斜地における通行手段であり、工期の短縮は絶対条件である。特に既成の住宅地における階段改修工事の場合は、全面通行止めの期間を極力短くすることが求められる。その場合、改修前の階段を部分的に利用しながら、新たな階段を一方の端から順次連続して造成できれば望ましい。しかしながら上記の在来工法では、各種の施工上の理由によりこのような要請に十分に応え得ているとはいえない。【０００８】  このような問題点を解決するために考案された階段造成用のプレキャスト・コンクリート・ブロックが知られている（１９９７年７月３１日の出願に係る登録実用新案第３０４５８２１号「階段ブロック」、以下「公知技術」という。）。【０００９】［特許文献１］登録実用新案第３０４５８２１号明細書【００１０】  しかしながら、上記公知技術に係る階段ブロックについては、人力で運搬・設置を行うには重すぎ、隣り合うブロック間がズレ易く、下地コンクリート面とこの階段ブロック裏面の間に気泡等の隙間ができ易く、残存空気や浸入水分の膨張に起因する剥離が起き易い、等の問題が経験されている。
【発明の開示】
【発明が解決しようとする課題】
【００１１】  本発明が解決しようとする課題は、上記公知技術に係る階段ブロックが抱える問題点を克服して、人力で運搬・設置が可能なように軽量化すること、施工後に隣り合うブロック間にズレを生じないこと、熱暑や寒冷に起因するブロックの浮き上がりや剥離を起こさないこと等である。
【課題を解決するための手段】
【００１２】  上記の課題は、ブロックの裏面に大型の窪みを形成して軽量化を図り、上記裏面の窪み内隅部に所定半径のアール（部分円筒凹面）を形成して、接着用モルタルの充填を妨げる鋭角部が生じないようにした階段ブロック、隣り合うブロック同士をモルタルで結合するズレ止め用溝をブロックの側面に形成した階段ブロック、及び、さらにブロックの蹴上げ面に大型の窪みを形成して軽量化を図った階段ブロックにより解決することができる。
【発明の効果】
【００１３】  本発明に係る階段ブロックは、その裏面に形成した窪みの重量軽減効果により、長さ３３０ｍｍの製品の重さが約２６Ｋｇと、人力で持ち運ぶことができる重量範囲に入る。これは、重機を入れ難い傾斜地での工事では大きい利点である。【００１４】  また、この階段ブロックの裏面窪み内隅部に形成したアールの効果により、ブロックの下へ敷き込むモルタルが窪み空間の隅々まで充填されて空洞を生じないので、熱暑・寒冷時の膨張破壊の原因となる空洞中の残存空気や水分を予め排除することができる。【００１５】  上記階段ブロックの蹴上げ面に大型の窪みを形成すれば、上記重量軽減効果の利点が助長される。さらに、この階段ブロックの側面の設けたズレ止め用溝にモルタルを充填して隣接する２つのブロックの側面を衝き合わせることにより、ブロック間に楔を打ち込んだようなズレ止め効果が発揮される。
【発明を実施するための最良の形態】
【００１６】  本発明を実施するための最良の形態として、上記階段ブロックを用いる階段施工法の一例を挙げる。すなわち、【００１７】  施工対象斜面を平坦に衝き固め、段数、蹴上げ高を確定すると共に、仕上がりスミを打つ準備工程、【００１８】  衝き固めを行った前記斜面に敷きモルタルを敷き、その上に階段ブロックを仮置きする第１工程、【００１９】  仮置きした階段ブロックの最小角度側下面にキャンバを差し込んで３〜４ｃｍの隙間を形成する第２工程、【００２０】  仮置きした階段ブロックの踏み代面前縁部に沿って水準器を置き、横方向の水平を確認しつつサンドハンマーで叩き締めして蹴上げ面角部を所定高さに合わせる第３工程、【００２１】  スラント（勾配測定器具）を用いて、踏み代面が一定勾配になるようにキャンバを抜き差しして調節する第４工程、【００２２】  前記第２工程で形成した隙間にモルタルを突き込んで当該隙間を満遍なく満たす第５工程、【００２３】  キャンバを取り外し、その部分にモルタルを突き込む第６工程、
隣り合うの階段ブロック間のメジをベニヤ板等を用いてしっかりと突き込んで布設を完了する第７工程、及び【００２４】  砂、ゴミ等を清掃してからメジ仕上げをする工事完了工程を含む階段ブロックを用いる階段施工法、である。
【実施例１】
【００２５】  図１は本発明の一実施例としての階段ブロックの形状を説明する斜視図、平面図、立面図、裏面図、側面図、断面図及び後面図である、図中の図１Ａは階段ブロックの斜視図、同Ｂは平面図、同Ｃは立面図、同Ｄは裏面図、同Ｅは側面図、同Ｆはａ−ａ断面図、同Ｇは後面図である。なお、図１Ａ中の記号ａ−ａは、図１Ｆに掲げる切断面の位置を示している。【００２６】  図１における参照符号１は蹴上げ面、２は蹴上げ面の正面中央部の窪み、３は踏み代面と蹴上げ面の間の面取り部、４は踏み代面、５は側面、６はスリップ止め溝、７はズレ止め用溝、８は背面、９は背面の窪み、１０は背面の窪みの中のアール部をそれぞれ示している。【００２７】  図２は、図１に示す階段ブロックを用いて構築した階段の全体構造を示す断面図である。鉄筋コンクリートで形成された基礎の上にモルタルが敷かれ、その上に階段ブロックが設置される。【００２８】  図３（１）〜（９）は各部寸法例を表す図である。図３（１）の斜視図に記入した主要な寸法線ａ〜ｇの長さをテーブルに、それ以外の細部の寸法を各部分図（２）〜（９）に示している。図３（２）は踏み代面４の、同（３）は蹴上げ面１の、同（４）は裏面８の、同（５）〜（７）は側面５の、同（８）はズレ止め用溝７の、同（９）は後面の、それぞれ部分を示す図である。
【産業上の利用可能性】
【００２９】  この発明は、住宅地等における階段の造成工事に使用される資材の一種である階段ブロックに係わるから、コンクリート品製造業、土木・建設業等多くの関連産業の振興・発展に寄与することが期待される。
【図面の簡単な説明】
【００３０】［図１］本発明の一実施例としての階段ブロックの形状を説明する斜視図、平面図、立面図、裏面図、側面図、断面図及び後面図である。
［図２］本実施例としての階段ブロックの設置状態を説明するための造成済みの階段の断面図である。
［図３］本実施例としての階段ブロックの、各部寸法例を表す図である。
［図４］在来の階段施工法を説明する概念図である。
［図５］他の在来の階段施工法を説明する概念図である。
【符号の説明】
【００３１】  １  蹴上げ面
２  蹴上げ面の正面中央部の窪み
３  踏み代面と蹴上げ面の間の面取り部
４  踏み代面
５  側面
６  スリップ止め溝
７  ズレ止め用溝
８  裏面
９  裏面の窪み
１０  裏面の窪み内隅部のアール部
【図１】
0004070796.tif 000002
【図２】
0004070796.tif 000003
【図３】
0004070796.tif 000004
【図４】
0004070796.tif 000005
【図５】
0004070796.tif 000006